(57)【要約】      （修正有）【課題】電源タップへの電源ケーブルの抜き差しが容易で、電源タップや電源ケーブル周りの安全性及びオフィス内及びデスク上の美観を確保する電源タップ装着カバーを提供する。【解決手段】デスク１００上に電源タップ１１０を装着するための電源タップ装着カバー１であって、カバー体２が、蝶番３を介してデスク１００のダクトカバー１０３と回動自在に連結可能に構成されている。電源タップ装着カバー１は、デスク１００上の所定箇所に着脱自在に構成され、少なくともカバー体２の蓋面２１ａの裏面２１ａ２が磁性体で形成されており、タップ本体の裏面１１１ｂに、マグネット１１４が装着された電源タップ１１０を着脱自在に装着する。【選択図】図５
2017086558.tif 000002
【特許請求の範囲】
【請求項１】
デスク上に電源タップを装着するための電源タップ装着カバーであって、
前記デスク上の所定箇所に着脱自在に構成され、少なくとも裏面が磁性体で形成されており、該裏面に、マグネットが装着された電源タップを着脱自在に装着する、
電源タップ装着カバー。
【発明の詳細な説明】
【技術分野】
【０００１】
本発明は、電源タップ装着カバーに関する。
【背景技術】
【０００２】
オフィス用デスク（以下、単に「デスク」という）の上には、例えばコンピュータ、モニタ又は照明器具を含む電気製品が設置されている。これらの電気製品に電力を供給するため、デスク上に、電源タップを設置し、電源ケーブルを複数本配置することがある。
【先行技術文献】
【特許文献】
【０００３】
【特許文献１】特開平０５−２２８０２７号公報
【発明の概要】
【発明が解決しようとする課題】
【０００４】
電源タップと電源ケーブルとを収容するために、天板の鉛直方向下側の面に形成された樋と、樋を覆う蓋体とを備える机に関する技術が知られている（例えば、特許文献１参照）。この技術は、樋の上に電源タップと電源ケーブルとを保持して、樋を蓋体で覆うことで、電源タップと電源ケーブルとを収容する。
【０００５】
ところが、樋に収容された電源タップへ電源ケーブルのプラグを抜き差しする際に、樋の狭小な空間では、スムースな作業が行いにくい。しかも、樋は、ユーザから見て机の奥側に形成されているため、例えば、デスク上にモニタなどが配置されている場合、樋での作業がさらに困難になる。
【０００６】
しかしながら、電源タップを樋から引き出してデスク上に設置すると、電源タップにプラグが挿入され、デスク上に電源ケーブルが配策されるため、電源タップや電源ケーブル周りに埃がたまりやすくなる。このため、電源タップや電源ケーブル周りの安全性を確保するために、定期的な清掃が必要である。デスク上に電源タップと電源ケーブルとが配策されていることで、オフィス内及びデスク上の美観を損なうおそれがある。
【０００７】
本発明は、上記に鑑みてなされたものであって、その目的は、電源タップへの電源ケーブルの抜き差しが容易で、電源タップや電源ケーブル周りの安全性及びオフィス内及びデスク上の美観を確保することができる電源タップ装着カバーを提供することにある。
【課題を解決するための手段】
【０００８】
上述した課題を解決し、目的を達成するために、本発明の電源タップ装着カバーは、デスク上に電源タップを装着するための電源タップ装着カバーであって、前記デスク上の所定箇所に着脱自在に構成され、少なくとも裏面が磁性体で形成されており、該裏面に、マグネットが装着された電源タップを着脱自在に装着する、ことを特徴とする。
【発明の効果】
【０００９】
本願発明の電源タップ装着カバーによれば、電源タップへの電源ケーブルの抜き差しが容易で、電源タップや電源ケーブル周りの安全性及びオフィス内及びデスク上の美観を確保することができる。
【図面の簡単な説明】
【００１０】
【図１】図１は、実施形態に係る電源タップ装着カバーをデスク上に設置した一例を示す斜視図である。
【図２】図２は、図１に示す電源タップ装着カバーを示す斜視図である。
【図３】図３は、図１に示す電源タップ装着カバーを示す斜視図である。
【図４】図４は、図１に示す電源タップ装着カバーを示す斜視図であり、電源タップ装着カバーのカバー体を閉じた状態を示す図である。
【図５】図５は、図１に示す電源タップ装着カバーを示す斜視図であり、電源タップ装着カバーのカバー体を開いた状態を示す図である。
【発明を実施するための形態】
【００１１】
以下、本発明に係る実施形態につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
図１は、実施形態に係る電源タップ装着カバーをデスク上に設置した一例を示す斜視図である。図２は、図１に示す電源タップ装着カバーを示す斜視図である。図３は、図１に示す電源タップ装着カバーを示す斜視図である。図４は、図１に示す電源タップ装着カバーを示す斜視図であり、電源タップ装着カバーのカバー体を閉じた状態を示す図である。図５は、図１に示す電源タップ装着カバーを示す斜視図であり、電源タップ装着カバーのカバー体を開いた状態を示す図である。
【００１３】
電源タップ装着カバー１は、移動可能な状態でデスク１００の上面の一部に配置されている。電源タップ装着カバー１は、電源タップ１１０が固定されている。
【００１４】
デスク１００は、平板で形成され、ユーザの作業スペースとなる天板１０１を備える。天板１０１は、矩形状に形成されている。デスク１００は、天板１０１の一方の端面（手前）側に椅子が配置され、ユーザが着席する。ユーザは、天板１０１の手前側に配置された椅子に着席して、天板１０１の上で作業を行う。なお、椅子はなくてもよい。デスク１００は、天板１０１の一方の端面とは反対側の他方の端面（奥）側に、電源タップと電源ケーブルとを収容するダクト１０２が形成されている。ダクト１０２は、天板１０１より下方に形成され、上方が開口している。ダクト１０２は、天板１０１の長辺１０１ａと平行に形成されている。デスク１００は、ダクト１０２の開口を覆うダクトカバー１０３が、ダクト１０２に対して着脱自在に配置されている。ダクトカバー１０３は、天板１０１と連続して平坦面を形成する。ダクトカバー１０３は、長手方向に複数に分割されていてもよい。
【００１５】
電源タップ１１０は、例えばデスク１００上に配置されたコンピュータ、モニタ又は照明器具を含む電気製品に電力を供給する。電源タップ１１０には、例えばオフィスの床面下の配線から電力を供給する。電源タップ１１０は、図２、図３に示すように、タップ本体１１１と、タップ本体１１１の表面１１１ａに形成された差込口１１２と、タップ本体１１１から引き出されたケーブル１１３とを備える。差込口１１２には、電源ケーブル１２０のプラグ１２１が抜き差しされる。ケーブル１１３は、例えばオフィスの床面下の配線と接続される。タップ本体１１１の裏面１１１ｂには、マグネット１１４が配置されている。マグネット１１４により、電源タップ１１０は、電源タップ装着カバー１に着脱自在である。
【００１６】
電源ケーブル１２０は、例えばデスク１００上に配置されたコンピュータ、モニタ又は照明器具を含む電気製品に電源タップ１１０から電力を供給する。電源ケーブル１２０は、電源タップ１１０の差込口１１２に抜き差し自在なプラグ１２１と、可撓性を有するケーブル１２２とを備える。
【００１７】
電源タップ装着カバー１は、カバー体２と蝶番３とを有する。電源タップ装着カバー１は、カバー体２が、蝶番３を介してデスク１００のダクトカバー１０３と回動自在に連結する。
【００１８】
カバー体２は、デスク１００の所定箇所に着脱自在に構成されている。カバー体２は、図１に示すように、デスク１００に取り付けられた状態で、デスク１００のダクト１０２の少なくとも一部を覆う。本実施形態において、カバー体２は、デスク１００のダクト１０２のユーザから見て左側を覆うように取り付けられている。カバー体２は、図２から図５に示すように、平板をコの字型に曲げ加工して形成された本体２１を有する。
【００１９】
本体２１は、矩形状の蓋面２１ａと、蓋面２１ａの長辺とそれぞれ接続された側面２１ｂ、側面２１ｃとを有する。蓋面２１ａは、デスク１００のダクト１０２の開口と、同じ平面形状、大きさである。蓋面２１ａの幅Ｗ１は、電源タップ１１０の幅Ｗ２より広い。カバー体２がデスク１００のダクト１０２を覆った状態で、蓋面２１ａの表面２１ａ１は、天板１０１と同じ高さになる。カバー体２が閉じた状態で、蓋面２１ａの表面２１ａ１は、天板１０１と同じ高さになるように、例えば、蝶番３の可動範囲で設定してもよいし、カバー体２及びダクト１０２の少なくとも一方に可動規制部を形成してもよい。蓋面２１ａの裏面２１ａ２には、少なくとも一部に磁性体が配置されている。本実施形態において、蓋面２１ａの裏面２１ａ２は、全面に磁性体が配置されている。側面２１ｂと側面２１ｃとは、蓋面２１ａの裏面２１ａ２側に立設されている。切欠部２１ｄは、蓋面２１ａの一方の短辺を切り欠いて形成されている。切欠部２１ｄは、デスク１００のダクト１０２に収容した電源ケーブル１２０のケーブル１２２をデスク１００上に引き出す部分である。
【００２０】
蝶番３は、カバー体２とデスク１００のダクトカバー１０３とを回動自在に連結する。蝶番３は、蓋面２１ａの他方の短辺に配置されている。蝶番３は、締結部材３１を介してカバー体２とダクトカバー１０３とに固定される。蝶番３を介して、カバー体２は、ダクトカバー１０３に対して開閉する。
【００２１】
次に、電源タップ装着カバー１に取り付けられた電源タップ１１０への電源ケーブル１２０の抜き差しについて説明する。
【００２２】
カバー体２の蓋面２１ａの表面２１ａ１は、カバー体２がダクトカバー１０３に対して閉じた状態において、天板１０１と連続する平坦面となる。電源タップ１１０は、カバー体２の蓋面２１ａの裏面２１ａ２に取り付けられ、デスク１００のダクト１０２に収容されている。このとき、電源タップ１１０は、表面１１１ａを下方に向けた姿勢である。
【００２３】
ユーザは、図５に示すように、カバー体２をダクトカバー１０３に対して回動させる。カバー体２がダクトカバー１０３に対して開いて、天板１０１の上方に位置すると、カバー体２の蓋面２１ａの裏面２１ａ２が露出する。これにより、カバー体２の蓋面２１ａの裏面２１ａ２に取り付けられた電源タップ１１０と電源ケーブル１２０とが露出する。
【００２４】
そして、ユーザは、天板１０１の上方において、カバー体２の蓋面２１ａの裏面２１ａ２に取り付けられた電源タップ１１０の差込口１１２から電源ケーブル１２０のプラグ１２１を引き抜いたり、電源タップ１１０の差込口１１２に電源ケーブル１２０のプラグ１２１を差し込んだりする。電源タップ１１０に接続された電源ケーブル１２０は、カバー体２をダクトカバー１０３に対して回動可能な長さの余長を有する。
【００２５】
そして、ユーザは、電源タップ１１０への電源ケーブル１２０の抜き差しが終了すると、カバー体２をダクトカバー１０３に対して回動させて、再びカバー体２がデスク１００のダクト１０２を覆った状態とする。このとき、電源ケーブル１２０は、余長（カバー体２の回動動作に追従して移動する部分）がダクト１０２に収容される。
【００２６】
以上のように、本実施形態に係る電源タップ装着カバー１によれば、電源タップ１１０の裏面１１１ｂを、カバー体２の蓋面２１ａの裏面２１ａ２に重ねて取り付ける。カバー体２をダクトカバー１０３に対して閉じた状態では、電源タップ１１０は、表面１１１ａを下方に向けた姿勢である。電源タップ１１０への電源ケーブル１２０の抜き差し時は、カバー体２をダクトカバー１０３に対して回動させることで、電源タップ１１０の表面１１１ａを天板１０１の上方に露出することができる。これにより、天板１０１の上方の広い空間において、カバー体２の蓋面２１ａの裏面２１ａ２に取り付けられた電源タップ１１０の差込口１１２から電源ケーブル１２０のプラグ１２１を引き抜いたり、電源タップ１１０の差込口１１２に電源ケーブル１２０を差し込んだりすることができる。このため、電源タップ装着カバー１は、電源タップ１１０への電源ケーブル１２０の抜き差しが容易である。
【００２７】
カバー体２を閉じた状態では、電源タップ１１０は、デスク１００のダクト１０２に収容されている。このとき、電源タップ１１０は、差込口１１２が配置された表面１１１ａが下方を向いた姿勢とすることができる。このため、電源タップ装着カバー１は、カバー体２を閉じた状態において、電源タップ１１０や電源ケーブル１２０周りに埃がたまることを抑制することができる。電源タップ装着カバー１は、カバー体２を閉じた状態において、電源タップ１１０の差込口１１２に埃が入ることを抑制することができる。これにより、電源タップ装着カバー１は、電源タップ１１０や電源ケーブル１２０周りの安全性を確保することができる。しかも、カバー体２を閉じた状態では、デスク１００のダクト１０２に電源タップ１１０と電源ケーブル１２０とを収容するので、電源タップ装着カバー１は、オフィス内及びデスク１１０上の美観を確保することができる。
【００２８】
なお、本発明は、上記実施形態に限定されるものではない。すなわち、本発明の骨子を逸脱しない範囲で種々変形して実施することができる。例えば、カバー体２は、蝶番３を介してデスク１００のダクトカバー１０３に対して回動自在に連結されているものとして説明したが、この構成に限定されない。例えば、カバー体２は、ダクトカバー１０３に対して回動自在ではなくてもよく、蝶番３を備えない構成でもよい。この場合、カバー体２は、デスク１００のダクト１０２を覆うように載置すればよい。電源タップ１１０への電源ケーブル１２０の抜き差し時は、カバー体２をデスク１００のダクト１０２から取り外して、表面１１１ａを露出させればよい。
【００２９】
カバー体２は、蓋面２１ａの裏面２１ａ２の全面が磁性体でなくてもよい。カバー体２は、蓋面２１ａの裏面２１ａ２の一部に磁性体が配置されていればよい。この場合、磁性体と電源タップ１１０のマグネット１１４との間で、電源タップ１１０をカバー体２の蓋面２１ａの裏面２１ａ２に固定可能な磁力を得られるように磁性体を配置すればよい。
【００３０】
電源タップ装着カバー１は、デスク１００のダクト１０２を覆って取り付けるものとして説明したが、使用態様はこれに限定されない。例えば、ダクトの形成されていないデスクであっても、デスク同士を向い合せで、例えば数ｃｍから１０数ｃｍ程度の隙間を空けて配置し、その隙間を覆うように電源タップ装着カバー１を向い合せたデスクに架け渡して使用してもよい。この場合、電源タップ装着カバー１の下方にはダクトがないため、電源ケーブル１２０の余長は、電源タップ装着カバー１から下方に垂れ下がる。このような使用態様によれば、電源タップ装着カバー１は、ダクトのないデスクにも使用することができる。
【符号の説明】
【００３１】
１  電源タップ装着カバー
２  カバー体
２１  本体
２１ａ  蓋面
２１ａ２  裏面
２１ｄ  切欠部
３  蝶番
１００  デスク
１０１  天板
１０２  ダクト
１１０  電源タップ
１１４  マグネット
１２０  電源ケーブル
【図１】
2017086558.tif 000003
【図２】
2017086558.tif 000004
【図３】
2017086558.tif 000005
【図４】
2017086558.tif 000006
【図５】
2017086558.tif 000007